(57)【特許請求の範囲】
【請求項１】
１本以上のＩＳＤＮ回線を接続する主装置と、この主装置に接続されて制御される複数のボタン電話機とからなり、前記ＩＳＤＮ回線の各Ｂチャネルを外線として制御するとともに、これら外線を用いた前記ボタン電話機による通話や前記主装置に接続された情報通信端末によるデータ通信を確立するボタン電話装置において、
前記主装置は、前記ボタン電話機のいずれかからの外線を指定した使用状況表示要求に応じて、当該指定外線を用いて通話中のボタン電話機とその相手先の情報または当該指定外線を用いてデータ通信中の情報通信端末とその相手先の情報を含む外線使用状況を、当該使用状況表示要求の要求元ボタン電話機で一覧表示する制御部を備え、
前記制御部は、前記指定外線がデータ通信に用いられており、かつ当該指定外線を使用している情報通信端末が前記要求元ボタン電話機に予め対応付けられた情報通信端末のみの場合には、当該指定外線を解放する
ことを特徴とするボタン電話装置。
【発明の詳細な説明】
【０００１】
【発明の属する技術分野】
本発明は、ボタン電話装置に関し、特にＩＳＤＮ回線のＢチャネルを用いて通話やデータ通信を行うボタン電話装置に関するものである。
【０００２】
【従来の技術】
インターネットやＩＳＤＮ回線の普及に応じて、ターミナルアダプタやルータ、あるいはこれら装置と同様の機能を有するボタン電話装置が一般家庭でも使用されつつある。この種のボタン電話装置は、ＩＳＤＮ回線とボタン電話機および情報通信端末と接続され、ボタン電話機および情報通信端末とＩＳＤＮ回線の２つのチャネルとを個別に交換接続する機能を有している。
このようなボタン電話装置では、各ＩＳＤＮ回線のＢチャネルをそれぞれ１つの外線に割り当てて呼制御処理を行っており、各ボタン電話機に設けられた外線ボタンのランプでそれぞれのＢチャネルの使用状況、空き、通話中、保留などの状態を表示している。また、ＬＣＤ等の画面表示部を備えるボタン電話機では、通話中表示の外線ボタンが押下された場合、その外線を用いて通話中のボタン電話機番号（内線番号）を含む使用状況を、当該ボタン電話機の画面表示部で詳細に表示するものとなっていた。
【０００３】
【発明が解決しようとする課題】
しかしながら、このような従来のボタン電話装置では、通話中のボタン電話機番号については表示されるものの、その通話相手については表示されなかった。また、ボタン電話装置が各情報通信端末をボタン電話機のように詳細に管理していないため、各外線を介してデータ通信している情報通信端末や通信相手に関する情報についても表示されず、通話中や通信中の外線についてその使用状況を詳細に確認することができないという問題点があった。
本発明はこのような課題を解決するためのものであり、通話中や通信中の外線についてその使用状況を詳細に確認できるボタン電話装置を提供することを目的としている。
【０００４】
【課題を解決するための手段】
このような目的を達成するために、本発明にかかるボタン電話装置は、１本以上のＩＳＤＮ回線を接続する主装置と、この主装置に接続されて制御される複数のボタン電話機とからなり、ＩＳＤＮ回線の各Ｂチャネルを外線として制御するとともに、これら外線を用いたボタン電話機による通話や主装置に接続された情報通信端末によるデータ通信を確立するボタン電話装置において、主装置に制御部を設けて、ボタン電話機のいずれかからの外線を指定した使用状況表示要求に応じて、当該指定外線を用いて通話中のボタン電話機とその相手先の情報または当該指定外線を用いてデータ通信中の情報通信端末とその相手先の情報を含む外線使用状況を、当該使用状況表示要求の要求元ボタン電話機で一覧表示し、指定外線がデータ通信に用いられており、かつ当該指定外線を使用している情報通信端末が要求元ボタン電話機に予め対応付けられた情報通信端末のみの場合には、当該指定外線を解放するようにしたものである。
【０００６】
【発明の実施の形態】
次に、本発明の実施の形態について図面を参照して説明する。
図１は本発明の一実施の形態にかかるボタン電話装置の構成を示すブロック図である。
このボタン電話装置は、１本以上のＩＳＤＮ回線１１に接続される主装置１と、内線回線２を介して主装置１に接続される１つ以上のボタン電話機（子機）２０Ａ〜２０Ｎから構成されている。
主装置１には、外線インターフェース部（以下、外線Ｉ／Ｆ部という）１２、内線インターフェース部（以下、内線Ｉ／Ｆ部という）１３、スイッチ１４、制御部１５、記憶部１６、データ制御部１７が設けられている。
【０００７】
主装置１では、データ伝送路４としてＬＡＮなどのデータ通信網を用いて複数の情報通信端末４０Ａ〜４０Ｍを接続している。
外線Ｉ／Ｆ部１２は、網側からのＩＳＤＮ回線１１に接続され、通話・通信用のＢチャネルや制御・通信用のＤチャネルを用いて各種データを送受信する終端制御を回線ごとに個別に行う。
【０００８】
内線Ｉ／Ｆ部１３は、内線回線２を介してボタン電話機２０Ａ〜２０Ｎを収容して各ボタン電話機２０Ａ〜２０Ｎを個別に管理するとともに、符号化された音声データと音声信号とを相互に変換することにより、スイッチ１４からのＢチャネルを用いた各ボタン電話機２０Ａ〜２０Ｎによる音声通話を実現する。
データ制御部１７は、データ伝送路４を介して１つ以上の情報通信端末４０Ａ〜４０Ｍを接続し、これら情報通信端末４０Ａ〜４０ＭとＢチャネルやＤチャネルとの間でスイッチ１４を介してデータ変換することにより、情報通信端末４０Ａ〜４０ＭによるＢチャネルあるいはＤチャネルを用いたデータ通信を実現するとともに、これらデータ通信の状態を管理する。
【０００９】
スイッチ１４は、制御部１５からの指示に応じて、外線Ｉ／Ｆ部１２と内線Ｉ／Ｆ部１３とをパスで接続し、符号化された音声データのやり取りを可能とすることにより、ＩＳＤＮ回線１１の所定Ｂチャネルとボタン電話機２０Ａ〜２０Ｎのいずれかとの間の音声通話を形成する。また、外線Ｉ／Ｆ部１２とデータ制御部１７とをパスで接続し、各種データのやり取りを可能とすることにより、ＩＳＤＮ回線１１の所定ＢチャネルあるいはＤチャネルと情報通信端末４０Ａ〜４０Ｍとの間のデータ通信を形成する。
【００１０】
制御部１５は、ＣＰＵなどのマイクロプロセッサやその周辺回路から構成され、予め制御部１５や記憶部１６に格納されている所定のプログラムにより動作して装置の各部を制御することにより、ＩＳＤＮ回線１１、ボタン電話機２０Ａ〜２０Ｎおよび情報通信端末４０Ａ〜４０Ｍに関する呼制御を行う。また、情報通信端末４０Ａ〜４０Ｍでやり取りされるパケットを解析して、その送信元や送信先のアドレスやプロトコルなどのリンク情報を、さらにはそのアドレスに対応するドメイン名などの登録名称を取得し、これら情報を必要に応じてボタン電話機で表示する。
【００１１】
記憶部１６は、必要に応じて制御部１５で実行するプログラムを予め格納し、また制御部１５の処理動作に必要な情報を記憶する。処理動作に必要な情報としては、例えばＩＳＤＮ回線１１の各チャネルの使用状況（空き、通話中、データ通信中など）やデータ通信に関するリンク情報、ボタン電話機２０Ａ〜２０Ｎの個別の動作状態、短縮電話番号やリダイヤル電話番号などを記憶する。また、データ通信時の接続先電話番号も記憶しておく。
【００１２】
図２にボタン電話機の外観図を示す。このボタン電話機２０（２０Ａ〜２０Ｎ）には、送受話器２１、画面表示部２２および各種ボタンが設けられている。各種ボタンとしては、ダイヤルキー２３のほか、外線１〜外線４に対応して設けられた外線ボタン２４、内線ボタン２５、保留ボタン２６がある。特に、外線ボタン２４のそれぞれにはＬＥＤなどの外線ランプが設けられており、それぞれの外線の状態が表示される。また、画面表示部２２の表示内容を操作するためのカーソルボタン２７や、選択決定のための決定ボタン２８、さらには表示内容を元に戻すための戻るボタン２９が設けられている。
【００１３】
次に、図３を参照し、本発明の第１の実施の形態にかかるボタン電話装置の動作について説明する。図３は第１の実施の形態にかかるボタン電話装置での使用状況表示処理を示すフローチャートである。
主装置１の制御部１５では、ボタン電話機２０Ａ〜２０Ｎのいずれかのボタン電話機２０で外線ボタンが押下されたことを、内線Ｉ／Ｆ部１３を介して検出した際、その外線ボタンに対応する外線が使用状態にある場合には、図３に示す使用状況表示処理を開始する。
【００１４】
まず、押下された外線ボタンに対応する外線が通話で使用されているかどうか、記憶部１６の状態情報によりチェックする（ステップ１００）。
ここで、当該外線が通話で使用されている場合は（ステップ１００：ＹＥＳ）、当該通話に対する使用状況表示要求であると判断して、同じく記憶部１６の状態情報を参照して、当該外線で通話中のボタン電話機を示すボタン電話機情報を、要求元のボタン電話機２０へ送信し、外線使用状況としてその画面表示部で表示する（ステップ１０１）。
【００１５】
また、当該通話の通話相手を示す通話接続先情報も要求元のボタン電話機２０へ送信し、外線使用状況としてその画面表示部で表示する（ステップ１０２）。この際、通話接続先情報については、当該ボタン電話装置が発信側の場合は、その発信時に送出したダイヤル情報を用いればよい。また、当該ボタン電話装置が着信側の場合は、呼設定メッセージなどにより網側から通知された発信元情報を用いればよい。この際、発信元情報が非通知の場合は、その旨を表示すればよい。なお、記憶部１６に各ボタン電話機や発信元情報に対応する登録名称が設定されている場合には、その登録名称を表示してもよい。
【００１６】
図４に通話時における使用状況表示例を示す。ここでは、外線１での通話に関連する使用状況について、図４（ａ）では、当該ボタン電話装置のボタン電話機の内線番号がローカル側として表示され、その通話相手の電話番号が相手側として表示されている。また、図４（ｂ）では、それぞれ登録名称（ニックネーム）で表示されている。
その後、表示終了の判断、例えば使用状況表示開始から所定時間経過後、あるいは要求元ボタン電話機２０からの表示終了操作などに応じて（ステップ１０３：ＹＥＳ）、要求元ボタン電話機２０の画面表示部で表示した外線使用状況を消去し（ステップ１０４）、一連の使用状況表示処理を終了する。
【００１７】
一方、ステップ１００において、当該外線をデータ通信で使用している場合には（ステップ１００：ＮＯ）、当該通信に対する使用状況表示要求であると判断して、記憶部１６の状態情報を参照して、当該外線でデータ通信中のリンクを示すリンク情報を、要求元のボタン電話機２０へ送信し、その画面表示部で表示する（ステップ１１０）。
図５にデータ通信時における使用状況表示例を示す。ここでは、外線２でのデータ通信に関する使用状況について、図５（ａ）に示すように、外線２を共用している３つのリンクのリンク情報、すなわち当該外線でリンクを確立している端末のネットワークアドレスや登録名称が外線使用状況として一覧表示される。
【００１８】
リンク情報としては、当該外線を介してやり取りされるパケットから取得した情報が用いられる。また、登録名称については、それぞれのネットワークに接続された名前管理サーバとのデータ通信により取得すればよい。例えば、データ伝送路４に接続されている情報通信端末４０の名称については、同じくデータ伝送路４に接続されている名前管理サーバから、ＮＥＴＢＩＯＳ（NETwork Basic Input/Output System）やＷＩＮＳ（Windows（登録商標） Internet Name Service）などの仕組みを用いて取得すればよい。また、ＩＳＤＮ回線１１より先のネットワークに接続されている相手端末の名称については、同じくそのネットワークに接続されている名前管理サーバからＤＮＳ（Domain Name System）などの仕組みを用いて取得すればよい。
【００１９】
この際、要求元ボタン電話機２０で、表示された任意の項目がカーソル（図５中の白抜き表示部分）で選択されて決定操作が行われた場合（ステップ１１１：ＹＥＳ）、その選択された項目に関する詳細な設定をボタン電話機２０へ送信して表示する（ステップ１１２）。
例えば、図５（ａ）で選択決定操作が行われた場合は、図５（ｂ）に示すように、その項目ここではリンクの詳細情報としてその選択されたリンクで用いられているプロトコルが一覧表示される。さらに、いずれかのプロトコルを選択決定操作をすれば、図５（ｃ）に示すように、そのプロトコルでやり取りされたコンテンツ名（ＵＲＬ）が表示される。
【００２０】
その後、表示終了の判断、例えば使用状況表示開始から所定時間経過後、あるいは要求元ボタン電話機２０からの表示終了操作などに応じて（ステップ１１３：ＹＥＳ）、要求元ボタン電話機２０の画面表示部で表示した外線使用状況を消去し（ステップ１０４）、一連の使用状況表示処理を終了する。
【００２１】
このように、任意のボタン電話機２０において、所定の外線についての使用状況表示要求操作が行われた場合には、その外線を使用しているボタン電話機や情報通信端末に加えて、その通話相手や通信相手に関する接続先情報も表示するようにしたので、ボタン電話機から通話中や通信中の所望の外線についてその使用状況を詳細に確認できる。
【００２２】
また、所望の外線がデータ通信中であった場合は、その外線を用いて確立されているすべてのリンクについてそれぞれ情報通信端末と接続相手先を表示するようにしたので、当該外線を複数の情報通信端末で共用している場合でも、その状況を適切に確認することができる。したがって、データ通信終了時にそれまで使用していた外線を利用者が手動で解放しようとした際、上記のようにしてその外線の使用状況を詳細に確認することができ、他の情報通信端末で使用している場合には、その解放を行わないなど適切な判断を下すことができる。
【００２３】
次に、図６を参照し、本発明の第２の実施の形態にかかるボタン電話装置の動作について説明する。図６は第２の実施の形態にかかるボタン電話装置での使用状況表示処理を示すフローチャートである。
情報通信端末によるデータ通信を含めた回線制御を行うボタン電話装置では、ボタン電話機と情報通信端末とを予め対応付けて使用する構成もある。このような場合には、ボタン電話装置の主装置１において各外線でデータ通信中の情報通信端末に対応するボタン電話機を把握できる。本実施の形態では、このようなボタン電話装置において、データ通信に用いられている外線の使用状況表示中に外線解放操作が行われた場合に、当該外線を解放するようにしたものである。
【００２４】
主装置１の制御部１５では、ボタン電話機２０Ａ〜２０Ｎのいずれかのボタン電話機２０で外線ボタンが押下されたことを、内線Ｉ／Ｆ部１３を介して検出した際、その外線ボタンに対応する外線がデータ通信に使用されている場合には、図６に示す外線通信中表示処理を開始する。
まず、押下された外線ボタンに対応する外線でデータ通信を行っている情報通信端末が、外線ボタンが押下されたボタン電話機すなわち使用状況表示要求を行った要求元ボタン電話機２０に対応する情報通信端末のみかどうか判断する（ステップ１２０）。このとき、当該外線でデータ通信を行っている情報通信端末およびその対応するボタン電話機については、データ通信開始時の回線制御や前述したようなデータ通信中のパケットから抽出することができる。
【００２５】
ここで、当該外線でデータ通信を行っている情報通信端末が、要求元ボタン電話機２０に対応する情報通信端末のみであった場合は（ステップ１２０：ＹＥＳ）、他のボタン電話機に対応する情報通信端末により当該外線が使用されていないと判断して、外線Ｉ／Ｆ部１２を制御して当該外線を解放する（ステップ１２１）。そして、要求元ボタン電話機２０の画面表示部で表示した外線使用状況を消去し（ステップ１２２）、一連の使用状況表示処理を終了する。
【００２６】
一方、ステップ１２０において、当該外線でデータ通信を行っている情報通信端末に、要求元ボタン電話機２０以外のボタン電話機に対応する情報通信端末が含まれている場合は（ステップ１２０：ＮＯ）、当該外線で確立されているリンクのリンク情報を一覧表示する（ステップ１３０）。図７にこの画面表示例を示す。ここでは、リンク情報として、当該外線でデータ通信を行っている情報通信端末に対応するボタン電話機を示す情報として内線番号が表示されている。また、前述した図５（ａ）と同様に、当該外線でリンクを確立している端末のネットワークアドレスや登録名称が表示されている。
【００２７】
そして、当該外線の解放可否確認中であることを、要求元ボタン電話機２０の当該外線ランプで表示する（ステップ１３１）。通常、外線が通話状態またはデータ通信状態にある場合、対応する外線ボタンの外線ランプを点灯表示する。したがって、この解放可否確認中の表示については、当該外線ランプを点滅表示するなど、他の使用状態とは異なる表示を行うことで区別して表示するようにしてもよい。
この解放可否確認中状態にある要求元ボタン電話機２０で、表示された任意の項目がカーソル（図７中の白抜き表示部分）で選択されて決定操作が行われた場合（ステップ１３２：ＹＥＳ）、その選択された項目で表示されているボタン電話機へ要求元ボタン電話機２０からの内線呼び出しを行う（ステップ１３３）。これにより、両ボタン電話機の利用者間で内線通話が行われ、当該外線の解放可否について確認が行われる。
【００２８】
このようにして、ステップ１３０で一覧表示された各ボタン電話機２０との内線通話が行われて、当該外線の解放可が確認された場合、要求元ボタン電話機２０で外線解放指示操作、例えば当該外線ボタンの再押下操作を行う。主装置１では、この外線解放指示操作に応じて（ステップ１３４：ＹＥＳ）、前述したステップ１２１へ移行して当該外線を解放し、同じくステップ１２２で、要求元ボタン電話機２０の画面表示部で表示した外線使用状況を消去し、一連の使用状況表示処理を終了する。
【００２９】
また、当該外線の解放可否確認中において、外線解放指示操作が行われず（ステップ１３４：ＮＯ）、表示終了の判断、例えば使用状況表示開始から所定時間経過後、あるいは要求元ボタン電話機２０からの表示終了操作などが行われた場合は（ステップ１３５：ＹＥＳ）、ステップ１２２へ移行して、要求元ボタン電話機２０の画面表示部で表示した外線使用状況を消去し、一連の使用状況表示処理を終了する。
【００３０】
このように、ボタン電話機と情報通信端末とが対応付けられている場合には、任意のボタン電話機での所定外線に対する使用状況表示要求操作に応じて、当該外線を使用している情報通信端末を調べ、当該外線を使用している情報通信端末が要求元ボタン電話機に対応する情報通信端末のみである場合は、当該外線を解放するようにしたので、他のボタン電話機の情報通信端末により使用されていない外線を容易に解放することができ、外線の使用効率を改善できる。
【００３１】
また、当該外線を使用している情報通信端末が要求元以外のボタン電話機に対応する情報通信端末を含む場合は、当該外線を使用している情報通信端末に対応するボタン電話機を一覧表示し、その後の要求元ボタン電話機による外線解放指示操作に応じて、当該外線を解放するようにしたので、当該外線の解放に際し、要求元ボタン電話機の利用者が当該外線の使用状況を確認して、外線解放の可否を判断できる。
【００３２】
この際、要求元ボタン電話機において、一覧表示されているボタン電話機のうちのいずれかが選択決定操作された場合は、その選択決定されたボタン電話機と要求元ボタン電話機との間で内線呼び出し状態とするようにしたので、当該外線の解放可否を利用者間で内線通話により正確に確認することができる。
なお、ボタン電話機を選択する際、所定選択決定操作に応じて一覧表示されているボタン電話機に対して内線一斉呼び出しを行うようにしてもよい。
【００３３】
本実施の形態では、ボタン電話機と情報通信端末とが対応付けられている場合を例として外線解放に関する処理を説明したが、この外線解放については前述した第１の実施の形態にも適用できる。例えば、前述した図３の外線使用状況表示処理のステップ１１１：ＮＯの判断の後に、要求元ボタン電話機での外線解放指示操作の有無を確認し、要求元ボタン電話機での外線解放指示操作が検出された場合は、当該外線を解放するようにしてもよい。これにより、当該外線の解放に際し、要求元ボタン電話機の利用者が当該外線を使用状況を確認して、外線解放の可否を判断できる。
【００３４】
【発明の効果】
以上説明したように、本発明は、ボタン電話機のうちのいずれかからの所定外線を指定した使用状況表示要求に応じて、主装置の制御部で、当該指定外線を用いて通話中のボタン電話機の相手先情報または当該指定外線を用いてデータ通信中の情報通信端末の相手先情報を含む外線使用状況を、当該使用状況表示要求の要求元ボタン電話機へ表示し、指定外線がデータ通信に用いられており、かつ当該指定外線を使用している情報通信端末が要求元ボタン電話機に予め対応付けられた情報通信端末のみの場合には、当該指定外線を解放するようにしたので、ボタン電話機から通話中や通信中の所望の外線についてその使用状況を詳細に確認できる。
【図面の簡単な説明】
【図１】  本発明の一実施の形態にかかるボタン電話装置の構成を示すブロック図である。
【図２】  ボタン電話機の外観図である。
【図３】  第１の実施の形態にかかるボタン電話装置での使用状況表示処理を示すフローチャートである。
【図４】  通話時における使用状況表示例である。
【図５】  データ通信時における使用状況表示例である。
【図６】  第２の実施の形態にかかるボタン電話装置での使用状況表示処理を示すフローチャートである。
【図７】  リンク情報の一覧表示例である。
【符号の説明】
１…回線制御装置、１１…ＩＳＤＮ回線、１２…外線Ｉ／Ｆ部、１３…内線Ｉ／Ｆ部、１４…スイッチ、１５…制御部、１６…記憶部、１７…データ制御部、２…内線回線、２０，２０Ａ〜２０Ｎ…ボタン電話機、４…データ伝送路、４０，４０Ａ〜４０Ｍ…情報通信端末。
【図１】
0004048793.tif 000002
【図２】
0004048793.tif 000003
【図３】
0004048793.tif 000004
【図４】
0004048793.tif 000005
【図５】
0004048793.tif 000006
【図６】
0004048793.tif 000007
【図７】
0004048793.tif 000008